(57)【要約】【課題】既存のＩＰ−ＰＢＸシステムのようなＨ．３２３プロトコルを使用しないシステムとＨ．３２３プロトコルを使用するシステム間で容易に音声通信を行うＩＰネットワークシステムおよびＨ．３２３ゲートキーパを提供する。【解決手段】ＩＰネットワーク５上に、Ｈ．３２３ゲートキーパ１、Ｈ．３２３端末２、ＩＰ−ＰＢＸ３、およびＩＰコンポーネント４が配置されている。また、Ｈ．３２３ゲートキーパ１は、自身に実装されているソフトウェアにより、ＰＨＳプロトコルとＨ．３２３プロトコルとの間のプロトコル変換を行い、Ｈ．３２３端末２・ＩＰコンポーネント４間の音声通信が実現する。【選択図】　　　　図１
2004147117.tif 000002
【特許請求の範囲】
【請求項１】
ＩＰネットワークに対応した交換機であるＩＰ−ＰＢＸと、
前記ＩＰ−ＰＢＸに収容され、前記ＩＰ−ＰＢＸで定められたＰＢＸプロトコルにしたがって通信を行うＩＰ端末装置と、
Ｈ．３２３プロトコルにしたがって通信を行うＨ．３２３端末装置と、
前記Ｈ．３２３プロトコルをもって前記Ｈ．３２３端末装置を収容し、前記ＰＢＸプロトコルと前記Ｈ．３２３プロトコルとの間のプロトコル変換を行うＨ．３２３ゲートキーパと、
が同一のＩＰネットワークに接続されていることを特徴とするＩＰネットワークシステム。
【請求項２】
前記ＩＰ端末装置は、
無線基地局装置であることを特徴とする請求項１記載のＩＰネットワークシステム。
【請求項３】
前記Ｈ．３２３端末装置は、
ＩＴＵ−Ｔ勧告のＨ４５０準拠の付加サービス機能に対応することを特徴とする請求項１または２記載のＩＰネットワークシステム。
【請求項４】
前記Ｈ．３２３端末装置から前記Ｈ４５０準拠のサービスの利用要求メッセージを受信し、該受信した利用要求メッセージをＨ４５０プロトコルから前記ＰＢＸプロトコルに変換して前記ＩＰ−ＰＢＸに送信するとともに、
前記ＰＢＸプロトコル準拠のサービスの利用応答メッセージを前記ＩＰ−ＰＢＸから受信し、該受信した利用応答メッセージを前記ＰＢＸプロトコルから前記Ｈ４５０プロトコルに変換して前記Ｈ．３２３端末装置に送信することを特徴とする請求項３記載のＩＰネットワークシステム。
【請求項５】
Ｈ．３２３プロトコルにしたがって、ＩＰネットワークを介して接続されているＨ．３２３端末装置を収容し、前記Ｈ．３２３プロトコル以外の所定のプロトコルが使用されている通信システムに前記ＩＰネットワークを介して接続されているＨ．３２３ゲートキーパであって、
前記Ｈ．３２３プロトコルと前記通信システムで使用されているプロトコルとの間のプロトコル変換を行い、前記Ｈ．３２３端末装置と前記通信システムとの間の音声通信を制御することを特徴とするＨ．３２３ゲートキーパ。
【請求項６】
前記Ｈ．３２３端末装置からＩＴＵ−Ｔ勧告のＨ４５０準拠のサービスの利用要求メッセージを受信し、該受信した利用要求メッセージをＨ４５０プロトコルから前記通信システムで使用されるプロトコルに変換して前記通信システムに送信するとともに、
前記通信システムで使用されるプロトコル準拠のサービスの利用応答メッセージを前記通信システムから受信し、該受信した利用応答メッセージを前記通信システムで使用されるプロトコルから前記Ｈ４５０プロトコルに変換して前記Ｈ．３２３端末装置に送信することを特徴とする請求項５記載のＨ．３２３ゲートキーパ。
【発明の詳細な説明】
【０００１】
【発明の属する技術分野】
本発明は、ＩＰネットワークシステムおよびＨ．３２３ゲートキーパに関し、特に、使用するプロトコルが異なるシステム間でＩＰネットワークを介して音声通信を行うＩＰネットワークシステムおよびＨ．３２３ゲートキーパに関する。
【０００２】
【従来の技術】
近年、ネットワーク技術の発達により、ＩＰネットワーク上で音声情報の交換を行うための技術が開示されてきた。そのような従来技術として、特開２００１−２８５４７６号公報（以下、特許文献１）が開示するところのＩＰ端末収容方法及びそのゲートウェイ装置及びゲートキーパー装置及びＩＰ端末があった。特許文献１では、ＰＢＸの無線基地局接続回線にゲートウェイ装置を接続し、ＰＢＸ内のデータベースに、ＩＰネットワークに接続されたＩＰ端末を無線電話機として登録していた。
【０００３】
また、特開２００２−２５２６６８号公報（以下、特許文献２）が開示するところの通信システムでは、ＬＡＮ上にＰＨＳのアンテナと、そのアンテナのＩＰアドレスを管理する回線コントローラと、Ｈ．３２３端末と、そのＨ．３２３端末のＩＰアドレスを管理するゲートキーパーとが接続され、回線コントローラは、ＰＨＳのプロトコルとＶｏＩＰのプロトコルとの間でプロトコル変換を行っていた。
【０００４】
【特許文献１】
特開２００１−２８５４７６号公報
【特許文献２】
特開２００２−２５２６６８号公報
【０００５】
【発明が解決しようとする課題】
しかしながら、特許文献１では、ＰＢＸの無線基地局接続回線がＰＢＸ回線であることより、Ｈ．３２３ゲートキーパがＰＢＸに接続するためには物理的なゲートウェイ機能を収容したゲートウェイ装置を必須としていた。
【０００６】
また、特許文献２の発明は、Ｈ．３２３のプロトコルに対応した端末と、Ｈ．３２３のプロトコルに対応していない端末との間で相互通話可能なシステムを構築することを目的とするもので、元々存在するＩＰ−ＰＢＸとＩＰ端末とで構成されるシステムに、Ｈ．３２３ゲートキーパとＨ．３２３端末とで構成されるＨ．３２３に対応したシステムを追加することを想定していなかった。
【０００７】
本発明は、上記問題点に鑑みてなされたものであり、既存のＩＰ−ＰＢＸシステムのようなＨ．３２３プロトコルを使用しないシステムとＨ．３２３プロトコルを使用するシステム間で容易に音声通信を行うＩＰネットワークシステムおよびＨ．３２３ゲートキーパを提供することを目的とする。
【０００８】
【課題を解決するための手段】
かかる目的を達成するため、請求項１記載の発明は、ＩＰネットワークに対応した交換機であるＩＰ−ＰＢＸと、ＩＰ−ＰＢＸに収容され、ＩＰ−ＰＢＸで定められたＰＢＸプロトコルにしたがって通信を行うＩＰ端末装置と、Ｈ．３２３プロトコルにしたがって通信を行うＨ．３２３端末装置と、Ｈ．３２３プロトコルをもってＨ．３２３端末装置を収容し、ＰＢＸプロトコルとＨ．３２３プロトコルとの間のプロトコル変換を行うＨ．３２３ゲートキーパと、が同一のＩＰネットワークに接続されていることを特徴とする。
【０００９】
また、請求項２記載の発明によれば、請求項１記載のＩＰネットワークシステムにおいて、ＩＰ端末装置は、無線基地局装置であることを特徴とする。
【００１０】
また、請求項３記載の発明によれば、請求項１または２記載のＩＰネットワークシステムにおいて、Ｈ．３２３端末装置は、ＩＴＵ−Ｔ勧告のＨ４５０準拠の付加サービス機能に対応することを特徴とする。
【００１１】
また、請求項４記載の発明によれば、請求項３記載のＩＰネットワークシステムにおいて、Ｈ．３２３端末装置からＨ４５０準拠のサービスの利用要求メッセージを受信し、受信した利用要求メッセージをＨ４５０プロトコルからＰＢＸプロトコルに変換してＩＰ−ＰＢＸに送信するとともに、ＰＢＸプロトコル準拠のサービスの利用応答メッセージをＩＰ−ＰＢＸから受信し、受信した利用応答メッセージをＰＢＸプロトコルからＨ４５０プロトコルに変換してＨ．３２３端末装置に送信することを特徴とする。
【００１２】
また、請求項５記載の発明は、Ｈ．３２３プロトコルにしたがって、ＩＰネットワークを介して接続されているＨ．３２３端末装置を収容し、Ｈ．３２３プロトコル以外の所定のプロトコルが使用されている通信システムにＩＰネットワークを介して接続されているＨ．３２３ゲートキーパであって、Ｈ．３２３プロトコルと通信システムで使用されているプロトコルとの間のプロトコル変換を行い、Ｈ．３２３端末装置と通信システムとの間の音声通信を制御することを特徴とする。
【００１３】
また、請求項６記載の発明によれば、請求項５記載のＨ．３２３ゲートキーパにおいて、Ｈ．３２３端末装置からＩＴＵ−Ｔ勧告のＨ４５０準拠のサービスの利用要求メッセージを受信し、受信した利用要求メッセージをＨ４５０プロトコルから通信システムで使用されるプロトコルに変換して通信システムに送信するとともに、通信システムで使用されるプロトコル準拠のサービスの利用応答メッセージを通信システムから受信し、受信した利用応答メッセージを通信システムで使用されるプロトコルからＨ４５０プロトコルに変換してＨ．３２３端末装置に送信することを特徴とする。
【００１４】
【発明の実施の形態】
（本実施形態の構成）
図１は、本発明の一実施形態におけるＩＰ（Ｉｎｔｅｒｎｅｔ　Ｐｒｏｔｏｃｏｌ）ネットワークシステムの構成を示す図である。以下、図１を用いて、本実施形態におけるＩＰネットワークシステムの構成および動作について説明する。
【００１５】
ＩＰネットワークシステムは、Ｈ．３２３ゲートキーパ１と、Ｈ．３２３端末２と、ＩＰ−ＰＢＸ（ＩＰ−Ｐｒｉｖａｔｅ　Ｂｒａｎｃｈ　ｅＸｃｈａｎｇｅ）３と、ＩＰコンポーネント４と、ＩＰネットワーク５と、を有する。Ｈ．３２３ゲートキーパ１と、Ｈ．３２３端末２と、ＩＰ−ＰＢＸ３と、ＩＰコンポーネント４とは、ＩＰネットワーク５を介して相互接続されている。
【００１６】
ＩＰ−ＰＢＸ３と、ＩＰコンポーネント４と、ＩＰネットワーク５とによりＩＰ−ＰＢＸシステムが構成される。ＩＰ−ＰＢＸシステムでは、従来のＩＰ−ＰＢＸシステムと同様に、転送、自動転送、保留、会議通話、ページング、およびダイヤルイン着信などといった豊富なサービスが実現可能である。なお、ＩＰ−ＰＢＸシステムでは、ＩＴＵ−Ｔ（国際電気通信連合電気通信標準化部門）勧告のＨ４５０準拠のサービスと同内容のサービス（転送、保留など）が利用可能であるとする。以下、ＩＰ−ＰＢＸシステムの構成について説明する。
【００１７】
ＩＰネットワーク５は、例えばＬＡＮ（Ｌｏｃａｌ　Ａｒｅａ　Ｎｅｔｗｏｒｋ）などのＩＰベースのネットワークである。
【００１８】
ＩＰ−ＰＢＸ３は、ＩＰネットワーク５に対応した構内交換機であって、管轄下の端末（例えばＩＰコンポーネント４）のＩＰアドレス（内線番号）を管理する。また、ＩＰ−ＰＢＸ３は、自ら定義するプロトコル（以下、ＰＨＳプロトコル）をもって、管轄下の端末など（例えばＩＰコンポーネント４）との接続を制御する。
【００１９】
ＩＰコンポーネント４は、ＩＰ−ＰＢＸ３管轄下でＩＰネットワーク５上に配置された通信装置であり、ＰＨＳプロトコルで相互通信可能である。例えば、ＩＰコンポーネント４は、無線基地局、ＰＢＸ端末（ＰＨＳプロトコルで動作可能な通信端末）などである。ＩＰコンポーネント４は、無線基地局である場合、ＰＨＳ端末などとの接続を制御するとしてもよい。
【００２０】
Ｈ．３２３ゲートキーパ１は、管轄下の端末（例えばＨ．３２３端末２）のＩＰアドレス（内線番号）を管理する情報処理装置であって、ＩＴＵ−Ｔ勧告のＨ．３２３プロトコルをもって各装置（例えばＨ．３２３端末２）を管理・接続する手段を有する。また、Ｈ．３２３ゲートキーパ１は、アドレス変換、および帯域幅管理などといった通常のゲートキーパが有する手段についても有しているものとする。また、Ｈ．３２３ゲートキーパ１は、ソフトウェアにより実現可能なプロトコル変換手段を有する。さらに、Ｈ．３２３ゲートキーパ１は、ＩＴＵ−ＴによるＨ４５０準拠の付加サービスに対応している。
【００２１】
Ｈ．３２３端末２は、Ｈ．３２３ゲートキーパ１管轄下でＩＰネットワーク５上に配置された通信装置であり、Ｈ．３２３プロトコルによりＩＰネットワーク５上で相互音声通信を行う手段を有する。また、Ｈ．３２３端末２は、ＩＴＵ−ＴによるＨ４５０準拠の付加サービスを利用可能である。
【００２２】
本実施形態では、ＩＰネットワーク５上に無線基地局を配置することを可能とするＩＰ−ＰＢＸ３システムにおいて、ＩＰ−ＰＢＸ３は、Ｈ．３２３ゲートキーパ１を仮想無線基地局として自身に登録し、Ｈ．３２３ゲートキーパ１管轄下のＨ．３２３端末２４を、仮想ＰＨＳ端末として自身に登録する。
【００２３】
また、本実施形態では、Ｈ．３２３ゲートキーパ１内部にゲートウェイ機能を収容し、Ｈ．３２３プロトコルと、ＩＰ−ＰＢＸ３で定義するＰＨＳプロトコルとのプロトコル変換機能を実現する。これにより、Ｈ．３２３ゲートキーパ１管轄下のＨ．３２３端末２とＩＰ−ＰＢＸ３管轄下のＩＰネットワーク５上に配置されたＩＰコンポーネント４（無線基地局・ＰＢＸ端末等）との通信が可能となる。
【００２４】
また、Ｈ．３２３ゲートキーパ１内部のゲートウェイ機能を利用することにより、Ｈ．３２３プロトコルでのサービス実現方法について標準化されているＩＴＵ−Ｔ勧告のＨ４５０と、ＰＨＳプロトコルとのプロトコル変換機能を実現する。これにより、Ｈ４５０をサポートするＨ．３２３端末２での操作により、Ｈ４５０で定義されたサービス（転送・保留など）を実現することが可能となる。
【００２５】
（ＩＰ−ＰＢＸ３におけるＨ．３２３端末２の端末登録処理）
ＩＰ−ＰＢＸ３がＨ．３２３端末２を仮想ＰＨＳ端末として認識するためには、ＰＨＳ端末の位置登録処理と同様に、ＩＰ−ＰＢＸ３に対してＨ．３２３端末２の情報を通知する必要がある。図２は、本発明の一実施形態におけるＨ．３２３端末２の端末登録処理の流れを示すシーケンスである。以下、図１を用い、図２に沿って、Ｈ．３２３端末２起動によるＩＰ−ＰＢＸ３に端末登録（位置登録）処理について説明する。
【００２６】
まず、Ｈ．３２３端末２は、自身のＩＰ−ＰＢＸ３への登録要求を示す端末登録要求メッセージをＨ．３２３ゲートキーパ１に対して送出する（Ａ２１→Ａ１１）。
【００２７】
次に、Ｈ．３２３ゲートキーパ１は、Ｈ．３２３端末２からの端末登録要求メッセージを受けて、端末登録の許可／不許可を示す端末登録応答メッセージをＨ．３２３端末２に対して送出する（Ａ１２→Ａ２２）。Ｈ．３２３端末２は、端末登録応答メッセージを受信すると、端末登録応答メッセージが「許可」の場合に限り、端末起動をおこなう。
【００２８】
Ｈ．３２３ゲートキーパ１は、Ｈ．３２３端末２に「許可」の端末登録応答メッセージ送出後に、ＩＰ−ＰＢＸ３に対して呼設定要求メッセージを送信する（Ａ１３→Ａ３１）。呼設定要求メッセージには、Ｈ．３２３端末２の内線番号・端末種別などが含まれる。
【００２９】
ＩＰ−ＰＢＸ３は、Ｈ．３２３ゲートキーパ１から呼設定要求メッセージを受信すると、Ｈ．３２３端末２の位置登録処理を行う。ＩＰ−ＰＢＸ３は、Ｈ．３２３ゲートキーパ１に対して切断メッセージを送信する（Ａ３２→Ａ１４）。切断メッセージには位置登録処理結果（正常終了／サービス利用不可）が含まれる。処理結果が「正常終了」の場合には、Ｈ．３２３ゲートキーパ１は、登録した内線番号（Ｈ．３２３端末２の内線番号）に対して発着信可能状態への推移をおこなう。処理結果が「サービス利用不可」の場合、Ｈ．３２３ゲートキーパ１は、リトライタイマタイムアウト後（所定時間経過後）、再度、呼設定要求メッセージをＩＰ−ＰＢＸ３に送信する。
【００３０】
（Ｈ．３２３端末２・ＩＰコンポーネント４間の音声チャネル確立処理）
Ｈ．３２３端末２とＨ．３２３ゲートキーパ１との間ではＨ．３２３プロトコルを、Ｈ．３２３ゲートキーパ１とＩＰ−ＰＢＸ３とＩＰコンポーネント４との間ではＰＨＳプロトコルをそれぞれ使用して信号の送受信を行う。Ｈ．３２３ゲートキーパ１は、各プロトコル間のプロトコル変換を行う。
【００３１】
図３は、本発明の一実施形態における音声チャネルの確立までの処理の流れを示すシーケンスである。以下、図１を用い、図３に沿って、Ｈ．３２３端末２とＩＰ−ＰＢＸ３配下のＩＰコンポーネント４間について音声チャネルが確立するまでの処理について説明する。
【００３２】
まず、Ｈ．３２３端末２は、Ｈ．３２３ゲートキーパ１に対して使用帯域要求メッセージを送出する（Ｂ２１→Ｂ１１）。
【００３３】
Ｈ．３２３ゲートキーパ１は、Ｈ．３２３端末２から使用帯域要求メッセージを受信すると、Ｈ．３２３端末２に使用帯域を割り当て、Ｈ．３２３端末２に対して使用帯域応答メッセージを送出する（Ｂ１２→Ｂ２２）。
【００３４】
Ｈ．３２３端末２は、Ｈ．３２３ゲートキーパ１に対して呼設定要求メッセージを送信する（Ｂ２３→Ｂ１３）。呼設定要求メッセージには、着信端末（ＩＰコンポーネント４側）の内線番号が含まれている。
【００３５】
Ｈ．３２３ゲートキーパ１は、Ｈ．３２３端末２に対して呼設定受付メッセージを送出する（Ｂ１４→Ｂ２４）。Ｈ．３２３ゲートキーパ１は、Ｈ．３２３端末２から受信した呼設定要求メッセージに対して、Ｈ．３２３プロトコルからＰＨＳプロトコルへのプロトコル変換を行い、ＰＨＳプロトコル呼設定要求メッセージを作成する。Ｈ．３２３ゲートキーパ１は、作成したＰＨＳプロトコル呼設定要求メッセージをＩＰ−ＰＢＸ３に対して送信する（Ｂ１５→Ｂ３１）。
【００３６】
ＩＰ−ＰＢＸ３は、Ｈ．３２３ゲートキーパ１からＰＨＳプロトコル呼設定要求メッセージを受信すると、ＩＰコンポーネント４に対して呼設定要求を行う（Ｂ３２→Ｂ４１）。
【００３７】
ＩＰコンポーネント４は、ＩＰ−ＰＢＸ３から呼設定要求を受け取ると、通信可能であれば「呼出」をＩＰ−ＰＢＸ３に返す（Ｂ４２→Ｂ３３）。
【００３８】
ＩＰコンポーネント４が着信可能であれば、すなわちＩＰ−ＰＢＸ３は、ＩＰコンポーネント４から「呼出」を受け取ると、Ｈ．３２３ゲートキーパ１に対して呼出メッセージを送出する（Ｂ３４→Ｂ１６）。
【００３９】
Ｈ．３２３ゲートキーパ１は、受信した呼出メッセージに対して、ＰＨＳプロトコルからＨ．３２３プロトコルへのプロトコル変換を行い、Ｈ．３２３プロトコル呼出メッセージを作成する。Ｈ．３２３ゲートキーパ１は、作成したＨ．３２３プロトコル呼出メッセージをＨ．３２３端末２に対して送信する（Ｂ１７→Ｂ２５）。
【００４０】
次に、ＩＰコンポーネント４は、着信呼に対してＩＰ−ＰＢＸ３に応答を行う（Ｂ４３→Ｂ３５）。
【００４１】
ＩＰ−ＰＢＸ３は、ＩＰコンポーネント４から接続要求を受け取ると、Ｈ．３２３ゲートキーパ１に対して接続要求メッセージを送出する（Ｂ３６→Ｂ１８）。
【００４２】
Ｈ．３２３ゲートキーパ１は、受信した接続要求メッセージに対して、ＰＨＳプロトコルからＨ．３２３プロトコルへのプロトコル変換を行い、Ｈ．３２３プロトコル接続要求メッセージを作成する。Ｈ．３２３ゲートキーパ１は、作成したＨ．３２３プロトコル接続要求メッセージをＨ．３２３端末２に対して送信する（Ｂ１９→Ｂ２６）。
【００４３】
Ｈ．３２３端末２が、Ｈ．３２３ゲートキーパ１から接続要求メッセージを受信すると、Ｈ．３２３端末２とＩＰコンポーネント４との間で音声通信パス設定処理が行われる（Ｂ４４←→Ｂ２０、Ｂ２０←→Ｂ２７）。音声通信パス設定処理の各信号は全てＨ．３２３ゲートキーパ１を経由し、プロトコル変換が行われる。
【００４４】
音声通信パス設定処理後、Ｈ．３２３端末２とＩＰコンポーネント４との間で音声通信（ＩＰパケット）が行われる。
【００４５】
（通話中の保留処理）
図４は、本発明の一実施形態における通話中の保留処理の流れを示すシーケンスである。以下、図１を用い、図４に沿って、Ｈ４５０手順によるサービスの一例として、Ｈ．３２３端末２とＩＰコンポーネント４間での通話中、Ｈ．３２３端末２より保留を要求する際における処理について説明する。なお、ＩＴＵ−Ｔ勧告のＨ４５０シリーズにおいて、「保留」は、Ｈ４５０．４で規定されている。
【００４６】
まず、Ｈ．３２３端末２は、ＩＰコンポーネント４と音声通信（ＩＰパケット）を行っている際に、Ｈ．３２３ゲートキーパ１に対して保留要求メッセージを送出する（Ｃ２１→Ｃ１１）。この保留要求メッセージは、Ｈ４５０で規定されているフォーマットに従う。
【００４７】
Ｈ．３２３ゲートキーパ１は、Ｈ．３２３（Ｈ４５０）プロトコルからＰＨＳプロトコルへのプロトコル変換を行い、ＰＨＳプロトコル保留要求メッセージを作成する。Ｈ．３２３ゲートキーパ１は、作成したＰＨＳプロトコル保留要求メッセージをＩＰ−ＰＢＸ３に対して送出する（Ｃ１２→Ｃ３１）。
【００４８】
ＩＰ−ＰＢＸ３は、Ｈ．３２３ゲートキーパ１からＰＨＳプロトコル保留要求メッセージを受信すると、ＩＰコンポーネント４に対して保留通知を行う（Ｃ３２→Ｃ４１）。
【００４９】
ＩＰ−ＰＢＸ３は、ＩＰコンポーネント４に対して保留通知を行うと、Ｈ．３２３ゲートキーパ１に対して保留応答メッセージを送出する（Ｃ３３→Ｃ１３）。
【００５０】
Ｈ．３２３ゲートキーパ１は、受信した保留応答メッセージに対して、ＰＨＳプロトコルからＨ．３２３（Ｈ４５０）プロトコルへのプロトコル変換を行い、Ｈ．３２３（Ｈ４５０）プロトコル保留応答メッセージを作成する。Ｈ．３２３ゲートキーパ１は、作成したＨ．３２３（Ｈ４５０）プロトコル保留応答メッセージをＨ．３２３端末２に対して送信する（Ｃ１４→Ｃ２２）。
【００５１】
その後、Ｈ．３２３端末２とＩＰコンポーネント４との間の音声通信について、保留状態に遷移する。
【００５２】
なお、本実施形態では、Ｈ４５０．４の保留呼付加サービス（保留）について説明したが、本実施形態の構成により、Ｈ４５０．２のコールトランスファ付加サービス（転送）、Ｈ４５０．３の着信転送付加サービス（不在転送）、Ｈ４５０．５のコールパーク、コールピックアップ付加サービス、Ｈ４５０．６のコールウェイティング付加サービス、およびＨ４５０．７のメッセージウェイティング通知付加サービスなどといった他のＨ４５０準拠のサービスにおいても実現可能である。
【００５３】
以上説明したように、本実施形態では、ＩＰネットワーク５上に、Ｈ．３２３ゲートキーパ１、Ｈ．３２３端末２、ＩＰ−ＰＢＸ３、およびＩＰコンポーネント４が配置されている。また、Ｈ．３２３ゲートキーパ１は、自身に実装されているソフトウェアにより、プロトコル変換機能を有することを実現する。従って、Ｈ．３２３ゲートキーパ１とＩＰ−ＰＢＸ３との間にゲートウェイ装置（ハードウェア）を設けることなく、Ｈ．３２３ゲートキーパ１管轄下のＨ．３２３端末２と、ＩＰ−ＰＢＸ３管轄下のＩＰコンポーネント４と間の通信を行うことが可能となる。
【００５４】
また、Ｈ．３２３ゲートキーパ１とＩＰ−ＰＢＸ３との間に、ゲートウェイ装置を設ける必要がないため、Ｈ．３２３端末２とＩＰコンポーネント４との間の通話を接続するまでの時間、通話を接続するまでの送出パケットの数を減少させることが可能となる。
【００５５】
また、本実施形態によれば、Ｈ．３２３ゲートキーパ１は、Ｈ．３２３プロトコルとＨ．３２３プロトコル以外のプロトコルとの間のプロトコル変換を行うためのプログラムを格納している。従って、既存のＩＰ−ＰＢＸシステムのＩＰネットワーク５上に、さらにＨ．３２３ゲートキーパ１とＨ．３２３端末２とからなるシステムを追加接続する場合であっても、ＩＰ−ＰＢＸ３自体がプロトコル変換プログラムを格納する場合に比べてＩＰ−ＰＢＸ３における負荷を軽減させることが可能となる。
【００５６】
また、従来、Ｈ．３２３端末操作によるサービス実現のためにはＨ．３２３ゲートキーパ側で決定された仕様に従わなければならなかった（例：ＩＮＦＯメッセージをフッキング要求メッセージとすること等）。このため、この仕様に外れたＨ．３２３端末によるサービス制御は不可能であった。本実施形態によれば、Ｈ．３２３端末２は、Ｈ４５０手順をサポートする通信端末である。また、Ｈ．３２３ゲートキーパ１は、Ｈ４５０（Ｈ．３２３）プロトコルとＰＨＳプロトコルとの間でプロトコル変換を行う。従って、Ｈ．３２３端末２は、Ｈ．３２３ゲートキーパ１側で決定された仕様に従う必要がなく、ＩＰコンポーネント４との間で、転送・保留といったＨ４５０で標準化されているサービスを容易に利用することが可能となる。
【００５７】
また、上記の処理は、Ｈ．３２３ゲートキーパ１、Ｈ．３２３端末２、ＩＰ−ＰＢＸ３、およびＩＰコンポーネント４が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００５８】
なお、上記の実施形態は本発明の好適な実施の一例であり、本発明の実施形態は、これに限定されるものではなく、本発明の要旨を逸脱しない範囲において種々変形して実施することが可能となる。
【００５９】
【発明の効果】
以上説明したように、本発明では、ＩＰネットワーク上に、Ｈ．３２３ゲートキーパ、Ｈ．３２３端末装置、ＩＰ−ＰＢＸ、およびＩＰ端末装置が配置されている。また、Ｈ．３２３ゲートキーパは、プロトコル変換機能を有する。従って、Ｈ．３２３ゲートキーパとＩＰ−ＰＢＸとの間にゲートウェイ装置（ハードウェア）を設けることなく、Ｈ．３２３ゲートキーパ管轄下のＨ．３２３端末装置と、ＩＰ−ＰＢＸ管轄下のＩＰ端末装置と間の通信を行うことが可能となる。
【００６０】
また、Ｈ．３２３ゲートキーパとＩＰ−ＰＢＸとの間に、ゲートウェイ装置を設ける必要がないため、Ｈ．３２３端末装置とＩＰ端末装置との間の通話を接続するまでの時間、通話を接続するまでの送出パケットの数を減少させることが可能となる。
【００６１】
また、本発明によれば、Ｈ．３２３ゲートキーパは、Ｈ．３２３プロトコルとＨ．３２３プロトコル以外のプロトコルとの間のプロトコル変換を行う。従って、既存のＩＰ−ＰＢＸシステムのＩＰネットワーク上に、さらにＨ．３２３ゲートキーパとＨ．３２３端末装置とからなるシステムを追加接続する場合であっても、ＩＰ−ＰＢＸ自体がプロトコル変換機能を有する場合に比べてＩＰ−ＰＢＸにおける負荷を軽減させることが可能となる。
【００６２】
また、本発明によれば、Ｈ．３２３端末装置は、Ｈ４５０手順をサポートする通信端末である。また、Ｈ．３２３ゲートキーパは、Ｈ４５０（Ｈ．３２３）プロトコルとＰＨＳプロトコルとの間でプロトコル変換を行う。従って、Ｈ．３２３端末装置は、Ｈ．３２３ゲートキーパ側で決定された仕様に従う必要がなく、ＩＰ端末装置との間で、転送・保留といったＨ４５０で標準化されているサービスを容易に利用することが可能となる。
【図面の簡単な説明】
【図１】本発明の一実施形態におけるＩＰネットワークシステムの構成を示す図である。
【図２】本発明の一実施形態におけるＨ．３２３端末の端末登録処理の流れを示すシーケンスである。
【図３】本発明の一実施形態における音声チャネルの確立までの処理の流れを示すシーケンスである。
【図４】本発明の一実施形態における通話中の保留処理の流れを示すシーケンスである。
【符号の説明】
１　Ｈ．３２３ゲートキーパ
２　Ｈ．３２３端末
３　ＩＰ−ＰＢＸ
４　ＩＰコンポーネント
５　ＩＰネットワーク
【図１】
2004147117.tif 000003
【図２】
2004147117.tif 000004
【図３】
2004147117.tif 000005
【図４】
2004147117.tif 000006